(57)【特許請求の範囲】
【請求項１】
車両の開口部に開閉可能に設けられたドアの開度を規制するドア開度ロック機構において、
上記開口部または上記ドアのいずれか一方に設けられ、その長手方向に沿って複数の係合部を列設された係合手段と、
上記係合部と係脱可能に設けられ、同係合部との係合時に、上記ドアの閉方向への移動を許し、上記ドアの開方向への移動を妨げる係合爪と、
上記係合部と係合する係合位置と、上記係合部と係合しない離脱位置とに上記係合爪を選択的に位置させる制御手段とを有し、
上記制御手段は、操作ノブと、軸によって回動自在に支持されていて、その先端が上記係合爪に当接しており、上記操作ノブの操作により上記係合爪を上記係合位置と上記離脱位置に移動させるレバーを有するリンク機構とを備えていることを特徴するドア開度ロック機構。
【発明の詳細な説明】
【０００１】
【発明の属する技術分野】
本発明は、車両の開口部に開閉可能に設けられたドアの開度を規制するドア開度ロック機構に関する。
【０００２】
【従来の技術】
車両の開口部と、これに開閉可能に設けられたドアとの間には、ドアが自重で勝手に開閉しないように、所謂ドアチェック装置やそれに類似した機構が設けられている。例えば、特開平７−２５７１８６号公報では、長手方向に沿って複数の係合部を列設された係合手段をボディー側に枢支し、係合部と係脱可能な係合爪をドアの開閉時の移動方向に回動自在に設け、この係合爪の回動方向に弾機手段を配置して同係合爪を係合部と係合する位置に保持し、ドアの開閉動作に伴い移動する係合手段に抵抗を与えてドアの位置を規制するものが提案されている。
【０００３】
【発明が解決しようとする課題】
上述した従来の技術では、係合爪が弾機手段で係合部と係合する位置に保持されているので、ドアの自重による勝手な開閉動作を防止することはできるが、ドアの閉方向への移動時にも、係合爪は弾機手段の弾性力を受け、かつ係合部とも係合した状態にある。このため、係合爪を選択的に係合部に係脱することができず、ドアを閉じる際の抵抗が大きく、ドアをスムーズに戻することができない。また、係合爪が弾機手段で係合部に付勢されているので、弾機手段の経時変化による付勢力の変化が伴い、長期に渡って安定したドアの位置決めが難しい。さらに、弾機手段を変形させるだけの力が加わると、ドアの開閉方向のいずれの方向にも係合爪が回動して係合部を乗り越えるので、ドアの停止性に問題が残る。
本発明は、長期に渡って確実にドアを任意の開度で停止でき、ドア閉動作をスムーズに行えるドア開度ロック機構を提供することを目的とする。
【０００４】
【課題を解決するための手段】
上記目的を達成するため、本発明の請求項１では、車両の開口部または、この開口部に開閉可能に設られたドアのいずれか一方に、長手方向に沿って複数の係合部を列設された係合手段を設け、係合部との係合時に、ドアの閉方向への移動を許しドアの開方向への移動を妨げる係合爪を係合部と係脱可能に設け、係合部と係合する係合位置と、係合部と係合しない離脱位置とに係合爪を制御手段で選択的に位置させるように構成しているため、係合爪を選択的に係合位置に位置させることができ、係合位置においてはドアの開方向への移動が規制されドアの閉方向への移動は許される。このため、ドアは所望の開度でロックされると共に、閉方向への移動に際しては抵抗少なく移動できる。
【０００５】
ドアの開度０°（全閉時）から係合部と係合爪が係合してしまうと、ドアを開けることができなくなるので、両者の係合は、少なくとも車両への乗降者が制御手段を操作できる程度の開度を確保する。このため、制御手段を操作するための操作部は、ドアの内側や開口部の周縁に配置されたラッチ寄りに配置するのが好ましい。
【０００６】
制御手段としては、操作部と係合爪とをリンク機構を介して連結して手動式としたり、リンク機構中に同機構を動作させる電磁アクチュエータを設け、この電磁アクチュエータを電気的なコントローラに接続し、このコントローラにオン／オフスイッチを接続して電動式としてもよい。
【０００７】
本発明は、ドアの回動端側に配置される周知のドアチェック装置と併設したり、単独で設けても構わない。ドアチェック装置と一緒に設ける場合、ドアチェック装置が機能する開度よりも少ない開度で機能するように設けるとよい。このため、ドア開度ロック機構の開度は、本発明が採用されるドアの全開閉範囲であっても良く、また、ドアチェック装置を備えたドアにおいては、この装置によるドアの開閉規制を受ける開度よりも小さい開閉範囲が含まれる。ドアチェック装置は、一般にドアが少し開いた程度では機能しないものが多いため、車両への乗降時における隣接する車両や縁石や壁等の隣接物に対するドアの接触を確実に防止することを考慮すると、ドア開度の少ない時からドア開度ロック機構を機能するように構成するのが望ましい。
【０００８】
【発明の実施の形態】
以下、図面を用いて本発明の実施の形態を説明する。
図１に示すドア開度ロック機構は、図２に示す車両１の側面に形成された開口部となる乗降口２に開閉可能に設けられたドア３の開度を規制するものである。本形態では、乗降口２とドア３の回動端３ａとの間に周知の図示しないドアチェック装置が装着されており、ドア開度ロック機構との併設を図られている。
【０００９】
ドア開度ロック機構は、このドアチェック装置が機能するドア３の開度よりも少ない開度で機能するように構成されている。ドア開度ロック機構は、図１、図３に示すように、ドア３にピン４で枢支され、係合部となる突起６を備えた係合手段となる移動レバー５と、突起６と係脱可能に設けられた係合爪７と、この係合爪７を、図３に示す突起６と係合する係合位置と、図１に示す突起６と係合しない離脱位置とに選択的に位置させる制御手段８とを備えている。
【００１０】
移動レバー５は、ドア３の移動方向に延出していて、その長手方向に沿って突起６が複数列設されている。突起６は直角三角形状を成し、その斜面６ａが矢印ｂで示すドア３の閉方向（以下「閉方向ｂ」と記す）に位置し、垂直面６ｂが矢印ａで示すドア３の開方向（以下「開方向ａ」と記す）側に位置するように配置されている。移動レバー５は、乗降口２（車両１）の一部に形成された図示しない開口内に挿入されていて、閉方向ｂ側に位置する移動レバー５の他端に、図示しない開口に当接するストッパ９が形成されている。移動レバー５の一側面には、レバーの長手方向に延出するガイド部１０が紙面から突出する向きに形成されている。
【００１１】
ガイド部１０は、乗降口２の周縁に固定された案内部材１１によって支持されている。案内部材１１には、図４に示すように、ガイド部１０を上下から覆う断面コの字状の案内部１１Ａが形成されている。案内部１１Ａの内部には、複数のボール１２が移動レバー５の長手方向に向かって並設されている。このボール１２は、転動自在に保持されていて、ガイド部１０の上面１０ａと下面１０ｂに摺接しており、ガイド部１０を摺動自在に支持して移動レバー５の移動をガイドするようになっている。案内部材１１には、固定軸１３，１４と、バネかけ部１５が形成されている。これらは、案内部材１１に一体的に設けられているため、ロック状態時に外力が作用しても、移動レバー５と係合爪７が相対的に変位するのを容易に防止でき、装置の信頼性を向上することができる。
【００１２】
係合爪７は、図１，図３に示すように、固定軸１３にその基端を回動自在に支持されている。係合爪７の先端下部には、突起６に類似した形状の凹部７ａが形成されていて、突起６との係合時に、ドア３の閉方向ｂへの移動を許し、ドア３の開方向ａへの移動を妨げるようになっている。係合爪７の先端側には、バネかけ部１５に一端を係止された引っ張りバネ１６の他端が係止されていて、係合爪７に図１に示す退避位置への回動習性を与えている。
【００１３】
制御手段８は、操作部となる操作レバー１７、第１レバー１８、第２レバー１９、第３レバー２０、コネクチングロッド２１、トルクスプリング２２を備えている。操作レバー１７は、一端を第１レバー１８とピン結合され、他端に操作ノブ２３を装着されており、乗降口２に設けられる図示しないラッチの近傍の内装２４から車室内に突出して配置されている。
【００１４】
第１レバー１８と第２レバー１９のそれぞれの基端は、図示しない車両の基部に回転自在に支持された支軸２５に固定されている。第３レバー２０は、固定軸１４に回動自在に支持されていて、その先端２０ａを係合爪７の上部７ｂに当接させている。コネクチングロッド２１は、その両端がそれぞれ第２レバー１９と第３レバー２０にピン２６，２７で結合されていて、第２レバー１９と第３レバー２０を連結している。トルクスプリング２２は、引っ張りバネから成り、その一端をピン２６に係止し、他端を支軸２５の上方に配置されたバネかけピン２８に係止させており、操作レバー１７を図１に示す非ロック位置と図３に示すロック位置とにそれぞれ保持するようになっている。これら各レバー並びにコネクチングロッドによってリンク機構が構成されている。
【００１５】
バネかけピン２８は、好ましくは第２レバー１９の揺動範囲角度の２等分線上で、かつ支軸２５の上方延長線上に設ける。このように設けると、トルクスプリング２２は、第２レバー１９が揺動し、上記２等分線上に位置した時に、最大張力を発生することになるので、第２レバー１９がロック位置または解除位置の何れかの位置に保持されるように、トルクスプリング２２の張力が作用することになる。
【００１６】
このような構成のドア開度ロック機構の動作を説明する。
（降車時の動作）
乗員が隣接する車両、壁や縁石、カードレール等に代表される隣接物に接触しない程度の範囲でドア３を開方向ａに開き、操作ノブ２３を図１に示す非ロック位置から図３に示すロック位置へと押し込む。これにより、第１レバー１８と第２レバー１９とが支軸２５を中心に反時計回りに一定の角度を保ったまま回動して第３レバー２０が固定軸１４を中心に時計回り方向に回動する。すると、係合爪７の上面７ｂが先端２０ａで下方に押されて係合爪７が引っ張りバネ１６の付勢力に抗して、図１に示す離間位置から図３に示す係合位置へと移動して、凹部７ａが突起６に係合する。このため、ドア３を開方向ａに移動しようとすると、突起６の垂直面６ｂと凹部７ａの平面７ｃとが当接するので、移動レバー５の移動が規制されてドア３が開方向にのみロック状態となる。
【００１７】
このように、所望するドア３の開度と成ったときに、操作ノブ２３を押し込むとドア３が所望の開度でロックされるので、ドア３と、開方向ａに位置する隣接物との接触を確実に避けることができ、隣接物やドア３の傷並びに破損を防止できる。
【００１８】
係合爪７と突起６との係合を解除するには、図５に示すように、ロック状態にあるドア３を閉方向ｂに移動する。すると、突起６の傾斜面６ａによって係合爪７の先端が持ち上げられ、係合爪７が固定軸１３を中心に反時計回りに回動し、引っ張りバネ１６の付勢力と相まって係合爪７が離間位置に保持される。また、係合爪７の動作により第３レバー２０が固定軸１４を中心に反時計回りに回動し、コネクチングロッド２１を介して第２レバー２が左方に引かれる。このため、第１レバー１８と第２レバー１９が支軸２５を中心に時計回りに一定の角度を保持したまま回動し、操作レバー１７が押し上げられて操作ノブ２３が非ロック位置に置かれる。この状態では、ドア３に対するロックは解除されているので、再びドア３を開方向ａに移動することができ、再度ロックしたい場合には、操作ノブ２３を押し込んで係合爪７を係合位置に移動して突起６に係合させればよい。
【００１９】
（乗車時の動作）
ドア３を閉方向ｂに移動したときに、係合爪７と突起６の係合状態は既に解除されているので、全閉状態のドア３を開く場合には、容易に開くことができる。ドア３が所望範囲開いたらところで操作ノブ２３を押し込む。すると、係合爪７が係合位置まで移動して突起と係合するので、ドア３が所望の位置でロックされる。このロックされたドア３を閉方向ｂに移動することで係合爪７が退避位置に移動して、ドア３のロック状態が解除されドア３を容易に閉じられる。このため、乗車時においても、ドア３を所望の位置にロックできるので、ドア３と、開方向ａに位置する隣接物との接触を確実に避けられ、隣接物やドア３の傷並びに破損を防止できる。
【００２１】
特にクーペボディーの車両や、左右のドアの形状が非対称に設けられた車両では、セダンタイプの車両よりもサイドドアが大きく形成されタイプもあるので、このような車両にドア開度ロック機構を設けることは、乗降時における隣接物との接触を確実に防止できる。
【００２２】
さらに車両の荷室を開閉する、観音開き式のリアドアや１枚ものリアドアを有する車両に適用した場合には、リアドアの開度を所定の開度で確実にロックできるので、自車の後方に停車している車両や、壁や縁石、カードレール等の、車両周部に位置する隣接物との接触を確実に防止できるとともに、荷物の出し入れを容易に行える。本発明は、上述したタイプの車両にその適用範囲を限定するものではなく、車室内や荷室に通じる開口部に開閉自在に支持されたドア全般に適用することができる。
【００２３】
【発明の効果】
本発明によれば、ドアが所望の開度で保持されると共に、閉方向への移動に際しては抵抗少なく移動でき、長期に渡って確実にドアを任意の開度でロックでき、ドア閉動作をスムーズに行うことができる。
【図面の簡単な説明】
【図１】本発明の一実施の形態を示すドア開度ロック機構の構成を示す断面図である。
【図２】本発明が適用される車両の一例を示す平面図である。
【図３】ドア開度ロック機構によるドアのロック状態を示す断面図である。
【図４】係合手段の支持構造を示す断面図である。
【図５】ドアの閉方向への移動によるドア開度ロック機構の解除動作を示す断面図である。
【符号の説明】
１              車両
２              開口部
３              ドア
５              係合手段
６              係合部
７              係合爪
８              制御手段
ａ              開方向
ｂ              閉方向
１４            軸
２０            レバー
２０ａ          先端
２３            操作ノブ
【図１】
0003598816.tif 000002
【図２】
0003598816.tif 000003
【図３】
0003598816.tif 000004
【図４】
0003598816.tif 000005
【図５】
0003598816.tif 000006